(57)【特許請求の範囲】
【請求項１】
分散型電源を含み系統に接続可能な電力制御システムにおける電力経路の電力に関する情報を出力する情報処理装置であって、
一部の電力経路において測定された電力に関する情報を取得する情報取得部と、
前記情報取得部が取得した電力に関する情報を、前記電力制御システムにおける電力経路の電力についての推定に基づき、前記電力制御システムの前記系統との接続状態に応じて補正してから出力する制御部と、
を備える、情報処理装置。
【請求項２】
前記制御部は、前記電力制御システムにおける電力経路の電力についての推定に基づき、前記電力制御システムにおける電力経路であって前記一部の電力経路以外の電力経路における電力に関する情報を出力する、請求項１に記載の情報処理装置。
【請求項３】
前記制御部は、前記電力制御システムが前記系統連系している場合、前記電力制御システムの運転モードに応じて前記情報取得部が取得した電力に関する情報を補正して出力する、請求項１又は２に記載の情報処理装置。
【請求項４】
前記制御部が出力した前記補正した電力に関する情報を表示する表示部をさらに備える、請求項１乃至請求項３のいずれか一項に記載の情報処理装置。
【請求項５】
前記分散型電源は、発電設備と、蓄電池と、燃料電池とを含む、請求項１乃至請求項４のいずれか一項に記載の情報処理装置。
【請求項６】
前記情報取得部は、前記電力に関する情報として、前記発電設備の発電電力と、前記蓄電池の充放電電力と、前記系統における売買電電力とを取得する、請求項５に記載の情報処理装置。
【請求項７】
分散型電源を含み系統に接続可能な電力制御システムにおける電力経路の電力に関する情報を出力可能な情報処理装置による情報処理方法であって、
一部の電力経路において測定された電力に関する情報を取得する取得ステップと、
前記取得ステップにおいて取得された電力に関する情報を、前記電力制御システムにおける電力経路の電力についての推定に基づき、前記電力制御システムの前記系統との接続状態に応じて補正してから出力する出力ステップと
を含む、情報処理方法。
【発明の詳細な説明】
【技術分野】
【０００１】
本発明は、情報処理装置及び情報処理方法に関する。
【背景技術】
【０００２】
従来、発電を行う発電設備及び電力を消費する負荷等を含む電力制御システムにおいて、発電状況及び電力消費状況等の電力に関する情報を出力する情報処理装置が知られている（例えば、特許文献１参照）。
【先行技術文献】
【特許文献】
【０００３】
【特許文献１】特開２００８−１６１０３７号公報
【発明の概要】
【発明が解決しようとする課題】
【０００４】
電力制御システムによって制御される電力に関する情報を出力する情報処理装置においては、電力制御システムで想定される種々の制御が行われても、精度の高い情報が出力されることが望ましい。
【０００５】
かかる事情に鑑みてなされた本発明の目的は、電力に関する情報をより高い精度で出力可能な情報処理装置及び情報処理方法を提供することである。
【課題を解決するための手段】
【０００６】
上記課題を解決するため、本発明の一実施形態に係る情報処理装置は、
分散型電源を含み系統に接続可能な電力制御システムにおける電力経路の電力に関する情報を出力する情報処理装置であって、
一部の電力経路において測定された電力に関する情報を取得する情報取得部と、
前記情報取得部が取得した電力に関する情報を、前記電力制御システムにおける電力経路の電力についての推定に基づき、前記電力制御システムの前記系統との接続状態に応じて補正してから出力する制御部と、
を備える。
【０００７】
前記制御部は、前記電力制御システムにおける電力経路の電力についての推定に基づき、前記電力制御システムにおける電力経路であって前記一部の電力経路以外の電力経路における電力に関する情報を出力してもよい。
【０００９】
前記制御部は、前記電力制御システムが前記系統連系している場合、前記電力制御システムの運転モードに応じて前記情報取得部が取得した電力に関する情報を補正して出力してもよい。
【００１０】
前記制御部が出力した前記補正した電力に関する情報を表示する表示部をさらに備えていてもよい。
【００１１】
前記分散型電源は、発電設備と、蓄電池と、燃料電池とを含んでいてもよい。
【００１２】
前記情報取得部は、前記電力に関する情報として、前記発電設備の発電電力と、前記蓄電池の充放電電力と、前記系統における売買電電力とを取得してもよい。
【００１３】
上述したように本発明の解決手段を情報処理装置として説明してきたが、本発明はこれらに実質的に相当する情報処理方法としても実現し得るものであり、本発明の範囲にはこれらも包含されるものと理解されたい。
【００１４】
例えば、本発明の一実施形態に係る情報処理方法は、
分散型電源を含み系統に接続可能な電力制御システムにおける電力経路の電力に関する情報を出力可能な情報処理装置による情報処理方法であって、
一部の電力経路において測定された電力に関する情報を取得する取得ステップと、
前記取得ステップにおいて取得された電力に関する情報を、前記電力制御システムにおける電力経路の電力についての推定に基づき、前記電力制御システムの前記系統との接続状態に応じて補正してから出力する出力ステップとを含む。
【発明の効果】
【００１５】
本発明によれば、電力に関する情報をより高い精度で出力可能な情報処理装置及び情報処理方法を提供できる。
【図面の簡単な説明】
【００１６】
【図１】本発明の一実施形態に係る情報処理装置と、情報処理装置を使用して電力に関する情報の表示を行う電力制御システムとの一例を模式的に示す図である。
【図２】電力に関する情報の表示上の不整合の一例を説明するための図である。
【図３】電力に関する情報の表示上の不整合の一例を説明するための図である。
【図４】電力に関する情報の表示上の不整合の他の一例を説明するための図である。
【図５】電力に関する情報の表示上の不整合の他の一例を説明するための図である。
【図６】本発明の一実施形態に係る情報処理装置の概略構成を示す機能ブロック図である。
【図７】図６の制御部が実行する出力内容の決定処理の概要を示すフローチャートである。
【図８】図６の制御部が実行する連系運転時の制御フローの一例を示すフローチャートである。
【図９】図６の制御部が実行する自動モード時の制御フローの一例を示すフローチャートである。
【図１０】図６の制御部が実行する待機モード時の制御フローの一例を示すフローチャートである。
【図１１】図６の表示部に表示される表示画面の一例を示す図である。
【発明を実施するための形態】
【００１７】
以下、本発明の一実施形態について、図面を参照して詳細に説明する。
【００１８】
図１は、本発明の一実施形態に係る情報処理装置を使用して電力に関する情報の表示を行う電力制御システムの一例を模式的に示す図である。図１に示すように、電力制御システム１０は、系統（グリッド）２０に接続されている。系統２０は、例えば一般的な商用の電力系統である。電力制御システム１０は、パワーコンディショナ３０と、分散型電源とを備える。図１に示す例では、分散型電源は、発電設備４０と、蓄電池５０と、需要家施設９０内の燃料電池６０と、を含む。また、図１の電力制御システム１０内の実線及び電力制御システム１０と系統２０とを結ぶ実線は、電力経路を示す。
【００１９】
電力制御システム１０は、通常は系統２０に接続されて連系運転を行う。連系運転では、パワーコンディショナ３０により、系統２０から供給される電力と、分散型電源である発電設備４０、蓄電池５０及び燃料電池６０からの電力とが、負荷７０に供給される。
【００２０】
また、電力制御システム１０は、停電時等、系統２０からの電力供給がない場合は自立運転を行う。自立運転では、パワーコンディショナ３０により、分散型電源のそれぞれ（発電設備４０、蓄電池５０及び燃料電池６０）からの電力が、負荷７０に供給される。
【００２１】
なお、電力制御システム１０が自立運転を行う場合には、各分散型電源（発電設備４０、蓄電池５０及び燃料電池６０）は系統２０から解列した状態となる。一方、電力制御システム１０が連系運転を行う場合には、分散型電源のそれぞれ（発電設備４０、蓄電池５０及び燃料電池６０）は系統２０と並列した状態となる。ここで系統から解列した状態とは系統と電気的に切断された状態であり、系統と並列した状態とは系統と電気的に接続した状態である。
【００２２】
また、電力制御システム１０が自立運転を行う場合、需要家は、運転モードを「自動モード」及び「待機モード」から選択する。自動モードは、パワーコンディショナ３０が電力制御システム１０の運転制御を自動的に行う運転モードであり、通常選択される運転モードである。一方、待機モードは、電力制御システム１０が、発電設備４０の発電に基づいて蓄電池５０を充電する制御のみ実行するが、他の制御は実行しない運転モードである。需要家は、例えば出張又は旅行等で、長期間に亘って需要家施設９０を不在にする場合に、この待機モードに設定する。需要家は、例えばパワーコンディショナ３０に有線または無線で接続された外部の入力装置から、入力操作を行うことにより、運転モードを選択できる。
【００２３】
パワーコンディショナ３０は、発電設備４０及び蓄電池５０から供給される直流の電力と、燃料電池６０を含む需要家施設９０及び系統２０から供給される交流の電力との変換を行う。この電力の変換は、一般的なインバータの機能によって行うことができる。また、パワーコンディショナ３０は、連系運転スイッチと、自立運転スイッチとのオン／オフ制御を行うことにより、連系運転及び自立運転の切り替え制御を行う。
【００２４】
また、パワーコンディショナ３０は、電力制御システム１０における電流を検出可能な電流センサ８０を備える。具体的には、パワーコンディショナ３０は、系統２０及び電力制御システム１０の間に流れる電流と、発電設備４０及び蓄電池５０への入出力電流と、が検出されるように、電流センサ８０を複数備える。パワーコンディショナ３０は、電流センサ８０が検出した電流に基づき、系統２０及び電力制御システム１０の間の電力（売買電電力Ｗｎ）、発電設備４０の発電電力（発電電力Ｗｄ）、及び、蓄電池５０への入出力電力（充放電電力Ｗｃ）を算出する。本明細書では、このようにして、パワーコンディショナ３０が検出した情報に基づき電力に関する情報を算出することを電力の測定ともいい、算出された電力に関する情報を測定電力情報ともいう。
【００２５】
また、パワーコンディショナ３０は、算出した売買電電力Ｗｎ、発電電力Ｗｄ及び充放電電力Ｗｃに基づき、需要家施設９０（燃料電池６０及び負荷７０）への入出力電力を算出する。需要家施設９０への入出力電力は、負荷７０が消費する電力から燃料電池６０が発電する電力を差し引いた電力を意味し、本明細書では、需要家施設９０への入出力電力を、以下単に「負荷電力」と略記する。具体的には、パワーコンディショナ３０は、発電電力Ｗｄから、売買電電力Ｗｎ及び充放電電力Ｗｃの合計値との差を算出することにより、負荷電力を算出する。つまり、負荷電力は、Ｗｄ−Ｗｃ−Ｗｎにより算出される。
【００２６】
なお、本実施形態では、発電電力Ｗｄは、発電設備４０が発電している場合の電力の方向、つまり発電設備４０からパワーコンディショナ３０に流れる方向（正方向）の電力を正の値、発電設備４０に流れる方向（負方向）の電力を負の値で表す。また、充放電電力Ｗｃは、蓄電池５０に充電される場合に流れる方向、つまりパワーコンディショナ３０から蓄電池５０に流れる方向（正方向）の電力を正の値、蓄電池５０が放電する場合に流れる方向、つまり蓄電池５０からパワーコンディショナ３０に流れる方向（負方向）の電力を負の値で表す。また、売買電電力Ｗｎは、第１方向に流れる第１電流の場合の電力の方向、つまり系統２０から電力制御システム１０に流れる方向（正方向）の電力を正の値で表す。すなわち、第１電流は、順潮の場合である。また、売買電電力Ｗｎは、第２方向に流れる第２電流の場合の電力の方向、つまり電力制御システム１０から系統２０に流れる方向（負方向）の電力を負の値で表す。すなわち、第２電流は、逆潮の場合である。また、負荷電力は、パワーコンディショナ３０から需要家施設９０に流れる方向（正方向）の電力を正の値、需要家施設９０からパワーコンディショナ３０に流れる方向（負方向）の電力を負の値で表すこととする。
【００２７】
発電設備４０は、例えば、太陽光のエネルギーを直流の電力に変換する太陽電池である。太陽電池は、例えば光電変換セルを有する発電部がマトリクス状に接続され、所定の短絡電流（たとえば１０Ａ）を出力するように構成される。太陽電池は、シリコン系多結晶太陽電池、シリコン系単結晶太陽電池、又はＣＩＧＳ等薄膜系太陽電池等、光電変換可能なものであればその種類は制限されない。以下、本実施形態において、発電設備４０は、太陽電池であるとして説明するが、発電設備４０は、例えば風力発電設備等の他の発電設備であってもよい。
【００２８】
蓄電池５０は、リチウムイオン電池又はニッケル水素電池等の蓄電池から構成される。蓄電池５０は、充電された電力を放電することにより、負荷７０に電力を供給可能である。また、蓄電池５０は、系統２０、発電設備４０及び燃料電池６０から供給される電力を充電可能である。
【００２９】
燃料電池６０は、水素を用いて空気中の酸素との化学反応により直流の電力を発電するセルと、発電された直流電力を１００Ｖあるいは２００Ｖの交流電力に変換するインバータと、その他補機類とを備える。図１に示すように、電力制御システム１０において、燃料電池６０は、パワーコンディショナ３０を介さずとも負荷７０に対する交流電力の供給を可能に構成されている。このように、本実施形態では、電力制御システム１０は、燃料電池６０をパワーコンディショナ３０に接続することなく、汎用性を有するシステムとして構成されている。
【００３０】
負荷７０は、電力を消費する電力負荷であり、例えば家庭内で使用されるエアコン、電子レンジ、テレビ等の各種電器製品、及び、商工業施設で使用される空調機、照明器具等の機械、照明設備等を含む。
【００３１】
上述のような電力制御システム１０において、売買電の状況及び分散型電源それぞれの発電状況、又は負荷７０の電力消費状況等の、電力制御システム１０における電力に関する情報を需要家に知らせる。このため、本実施形態では、例えば電子機器として構成することができる情報処理装置の表示画面に、電力に関する情報を表示する。電力に関する情報の表示は、測定電力情報（発電電力Ｗｄ、充放電電力Ｗｃ及び売買電電力Ｗｎ）を、パワーコンディショナ３０から取得し、取得した測定電力情報に基づいて行う。電力に関する情報は、例えば電力の方向を示す情報の表示及び／又は数値による表示により行われる。
【００３２】
ここで、パワーコンディショナ３０から取得した、測定電力情報は、電流センサ８０による測定誤差を含んだり、誤検出された電流に基づく情報を含んだりする場合がある。測定誤差又は誤検出に基づいて算出される電力は、通常、発電や電力消費等により発生する電力よりも数値（絶対値）が小さい。そこで、例えば電力の数値に関する閾値を設けて、当該閾値よりも数値が小さい電力については、０Ｗに補正することによって、考慮しない値とすることができる。これにより、測定誤差又は誤検出による誤表示を排除しやすくなる。
【００３３】
しかしながら、閾値を設けて測定誤差又は誤検出と認められた電力を考慮しない場合には、電力の状況を表示する際に出力する情報として不整合が生じる場合がある。このように不整合な情報が出力されて表示部に表示される場合について、図２及び図５を参照して説明する。なお、ここでは、閾値が５０Ｗであるとして説明する。
【００３４】
例えば、図２に矢印で示すように、検出された電流に基づき、発電設備４０の発電量が４０Ｗであり、電力制御システム１０から系統２０への逆潮の電力が５０Ｗであることを、パワーコンディショナ３０が算出したとする。この場合、発電設備４０による発電電力Ｗｄ＝４０Ｗは、閾値５０Ｗよりも小さいため、０Ｗに補正される。一方、負荷電力は、発電電力Ｗｄ（補正された０Ｗ）から、売買電電力Ｗｎ（５０Ｗ）及び充放電電力Ｗｃ（０Ｗ）の合計値との差を算出することにより、−５０Ｗと算出される。そのため、需要家に対する表示では、図３に示すように、あたかも、需要家施設９０から電力が出力され、系統２０に逆潮の電力が流れているように表示される。つまり、実際には燃料電池６０が発電をしていないにもかかわらず、燃料電池６０が発電をして売電しているように表示される。
【００３５】
また、例えば、図４に矢印で示すように、検出された電流に基づき、系統２０から順潮で入力される電力が２０Ｗであり、発電設備４０の発電量が４０Ｗであり、蓄電池５０への充電電力が６０Ｗであることを、パワーコンディショナ３０が算出したとする。この場合、系統２０からの入力電力２０Ｗと、発電設備４０による発電電力Ｗｄ＝４０Ｗとは、それぞれ閾値５０Ｗよりも小さいため、０Ｗに補正される。一方、負荷電力は、発電電力Ｗｄ（補正された０Ｗ）から、売買電電力Ｗｎ（補正された０Ｗ）及び充放電電力Ｗｃ（６０Ｗ）の合計値との差を算出することにより、−６０Ｗと算出される。そのため、需要家に対する表示では、図５に示すように、あたかも、需要家施設９０から電力が出力され、蓄電池５０が蓄電されているように表示される。つまり、実際には燃料電池６０が発電をしていないにもかかわらず、燃料電池６０が発電をして売電しているように表示される。
【００３６】
図２及び図５を参照して説明したように、実際の電力に関する情報と、表示される電力に関する情報が異なる場合、表示を見た需要家に誤った情報を与えたり、需要家を混乱させたりする可能性が生じる。そこで、本実施形態では、上述のような状況においても、電力についての正しい情報が出力され表示されるようにする。
【００３７】
図６は、本実施形態に係る情報処理装置１００の概略構成を示す機能ブロック図である。図６に示すように、情報処理装置１００は、情報取得部１１０と、制御部１２０と、記憶部１３０と、表示部１４０とを備える。本実施形態では、情報処理装置１００は、パワーコンディショナ３０とは異なる、独立した１つの装置であるとして説明する。なお、情報処理装置１００は、必ずしも１つの独立した装置でなくてもよく、例えば、制御部１２０と、表示部１４０とがそれぞれ独立した別の装置に含まれるようにして構成されていてもよい。また、例えば、情報取得部１１０、制御部１２０及び記憶部１３０は、パワーコンディショナ３０に含まれていてもよい。
【００３８】
情報取得部１１０は、外部装置（本実施形態ではパワーコンディショナ３０）と有線通信又は無線通信を行うことにより、電力制御システム１０における測定電力情報を取得する。つまり、情報取得部１１０は、パワーコンディショナ３０から、パワーコンディショナ３０が算出した発電電力Ｗｄ、充放電電力Ｗｃ及び売買電電力Ｗｎに関する情報を取得する。また、情報取得部１１０は、パワーコンディショナ３０から、電力制御システム１０の系統２０との接続状態に関する情報を取得する。このとき、情報取得部１１０は、電力制御システム１０が解列している場合、つまり自立運転を行っている場合、運転モードに関する情報も取得してもよい。
【００３９】
制御部１２０は、情報処理装置１００の各機能ブロックをはじめとして、情報処理装置１００の全体を制御及び管理するプロセッサである。制御部１２０は、情報取得部１１０が取得した電力に関する情報を、電力制御システム１０における電力経路の電力についての推定に基づき、所定の条件に応じて補正してから出力する。具体的には、制御部１２０は、電力制御システム１０の系統２０との接続状態（つまり並列か又は解列か）に応じて、測定電力情報を補正することにより、出力内容を決定する。制御部１２０が行う補正処理（出力内容の決定処理）の詳細については後述する。また、制御部１２０は、決定した出力内容に関する情報を表示部１４０に出力する。制御部１２０は、制御手順を規定したプログラムを実行するＣＰＵ（Central Processing Unit）等のプロセッサで構成され、かかるプログラムは、例えば記憶部１３０等の記憶媒体に格納される。
【００４０】
記憶部１３０は、半導体メモリ又は磁気メモリ等で構成することができ、各種情報や情報処理装置１００を動作させるためのプログラム等を記憶するとともに、ワークメモリとしても機能する。記憶部１３０は、例えば情報取得部１１０から取得した測定電力情報を記憶してもよい。
【００４１】
表示部１４０は、液晶ディスプレイ、有機ＥＬディスプレイ、又は無機ＥＬディスプレイ等の周知のディスプレイにより構成される表示デバイスである。表示部１４０は、制御部１２０から取得した出力内容に関する情報に基づいて電力に関する情報を表示する。需要家は、表示部１４０の表示を確認することによって、電力制御システム１０における電力に関する情報について知ることができる。
【００４２】
次に、図７から図１０を参照して、制御部１２０が実行する出力内容の決定処理の詳細について説明する。なお、本実施形態においては、負荷電力が負の値になる場合についてのみ閾値が設けられる。負荷電力が負の値になる場合は、すなわち、負荷７０による電力消費の有無にかかわらず、少なくとも燃料電池６０が発電をしている場合である。負荷電力が所定の閾値以下の場合には、負荷電力の測定誤差であるとして、制御部１２０は負荷電力の値を０に補正する処理を行う。なお、ここでは、負荷電力の逆潮に関する閾値を、１００Ｗであるとして、以下説明する。なお、この閾値は一例にすぎず、閾値は適宜決定することができる。また、負荷電力が正の値の場合は、単に需要家が負荷７０を使用して電力を消費しているか、燃料電池６０が発電していても負荷７０が消費する電力が燃料電池の発電量を上回っていることを示しているため、閾値は設定されない。
【００４３】
図７は、制御部１２０が実行する出力内容の決定処理の概要を示すフローチャートである。
【００４４】
まず、制御部１２０は、情報取得部１１０から、電力制御システム１０の系統２０との接続状態に関する情報を取得する（ステップＳ１０１）。制御部１２０は、必要に応じて運転モードに関する情報も取得してもよい。
【００４５】
次に、制御部１２０は、ステップＳ１０１で取得した、電力制御システム１０の系統２０との接続状態に関する情報に基づいて、電力制御システム１０が連系運転を行っているか否かを判断する（ステップＳ１０２）。制御部１２０は、電力制御システム１０が並列している場合、連系運転を行っていると判断し、電力制御システム１０が解列している場合、自立運転を行っていると判断する。
【００４６】
制御部１２０は、電力制御システム１０が連系運転を行っていると判断した場合（ステップＳ１０２のＹｅｓ）、連系運転時の制御フローを実行する（ステップＳ１０３）。連系運転時の制御フローの詳細については、後述する図８の説明において詳述する。
【００４７】
制御部１２０は、電力制御システム１０が連系運転を行っていないと判断した場合、つまり電力制御システム１０が自立運転を行っていると判断した場合（ステップＳ１０２のＮｏ）、運転モードが自動モードであるか否かを判断する（ステップＳ１０４）。
【００４８】
制御部１２０は、運転モードが自動モードであると判断した場合（ステップＳ１０４のＹｅｓ）、自動モード時の制御フローを実行する（ステップＳ１０５）。自動モード時の制御フローの詳細については、後述する図９の説明において詳述する。
【００４９】
一方、制御部１２０は、運転モードが自動モードでないと判断した場合、つまり運転モードが待機モードであると判断した場合（ステップＳ１０４のＮｏ）、待機モードの制御フローを実行する（ステップＳ１０６）。
【００５０】
そして、制御部１２０は、ステップＳ１０３、ステップＳ１０５又はステップＳ１０６においてそれぞれの制御フローを実行して得られた出力内容を、表示部１４０に送信する（ステップＳ１０７）。ステップＳ１０７の後、表示部１４０は、取得した出力内容に基づいて、電力に関する情報を表示する。
【００５１】
次に、ステップＳ１０３で実行される連系運転時の制御フローの詳細について説明する。図８は、制御部１２０が実行する連系運転時の制御フローの一例を示すフローチャートである。
【００５２】
まず、制御部１２０は、情報取得部１１０から、測定電力情報（電力制御システム１０の発電電力Ｗｄ、充放電電力Ｗｃ及び売買電電力Ｗｎ）を取得する（ステップＳ２０１）。
【００５３】
次に、制御部１２０は、取得した発電電力Ｗｄ、充放電電力Ｗｃ及び売買電電力Ｗｎのそれぞれを、所定の値で割る演算（除算）を行うことにより、計算の基準値を算出する（ステップＳ２０２）。発電電力Ｗｄ、充放電電力Ｗｃ及び売買電電力Ｗｎのそれぞれに対応する基準値を、基準値ｌ、基準値ｍ及び基準値ｎとする。また、本実施形態では、当該所定の値は５０であるとして説明する。従って、本実施形態においては、ｌ＝Ｗｄ／５０、ｍ＝Ｗｃ／５０、ｎ＝Ｗｎ／５０により算出される。基準値ｌ、ｍ及びｎは、制御部１２０が出力内容の算出のために使用する値であるが、必ずしも算出されなくてもよく、発電電力Ｗｄ、充放電電力Ｗｃ及び売買電電力Ｗｎの値をそのまま用いて算出を行ってもよい。
【００５４】
次に、制御部１２０は、基準値ｌが０未満であるか否かを判断する（ステップＳ２０３）。
【００５５】
制御部１２０は、基準値ｌが０未満であると判断した場合（ステップＳ２０３のＹｅｓ）、基準値ｌの値をｌ＝０に補正する（ステップＳ２０４）。基準値ｌが０未満であるということは、発電電力Ｗｄが０未満（すなわち負）であるということであり、これはパワーコンディショナ３０から発電設備４０に（つまり負方向に）電力が供給されていることを示すこととなる。しかしながら、発電設備４０が電力を消費することはないため、電力が負方向に流れることはない。従って、制御部１２０は、取得された発電電力Ｗｄの値が誤検出によるものであると判断して、ｌ＝０（つまりＷｄ＝０）に補正する。
【００５６】
次に、制御部１２０は、基準値ｍが０未満且つ基準値ｎが０より大きいか否かを判断する（ステップＳ２０６）
【００５７】
制御部１２０は、基準値ｍが０未満且つ基準値ｎが０より大きいと判断した場合（ステップＳ２０６のＹｅｓ）、基準値ｎの値をｎ＝０に補正する（ステップＳ２０７）。基準値ｍが０未満であるということは、充放電電力Ｗｃが０未満であるということであり、これは、蓄電池５０が放電していることを示す。一方基準値ｎが０より大きいということは、売買電電力Ｗｎが０より大きいということであり、これは電力制御システム１０が系統２０に対して逆潮していること示す。ここで、ステップＳ２０４において基準値ｌはｌ＝０に補正されており、パワーコンディショナ３０と発電設備４０との間に電力の流れは生じていない。この場合、電力制御システム１０において、蓄電池５０を放電させながら、電力制御システム１０を系統２０に対して逆潮させるという制御は実行されないため、このような運転は起こり得ない。従って、制御部１２０は、取得された売買電電力Ｗｎの値が誤検出によるものであると判断して、ｎ＝０（つまりＷｎ＝０）に補正する。
【００５８】
一方、制御部１２０は、基準値ｍ及び基準値ｎが、基準値ｍが０未満且つ基準値ｎが０より大きいという条件を満たさない場合（ステップＳ２０６のＮｏ）、基準値ｎの値を補正することなく、そのまま維持することを決定する（ステップＳ２０８）。これは、売買電電力Ｗｎの値が誤検出によるものではないという判断に基づくものである。ステップＳ２０６からステップＳ２０８により、基準値ｎが決定される。
【００５９】
一方、ステップＳ２０３において、制御部１２０は、基準値ｌが０以上であると判断した場合（ステップＳ２０３のＮｏ）、基準値ｌの値を補正することなく、そのまま維持することを決定する（ステップＳ２０５）。これは、発電電力Ｗｄの値が誤検出によるものではないという判断に基づくものである。ステップＳ２０５において制御部１２０が基準値ｌを補正しないことを決定すると、このフローはステップＳ２０９に移行する。
【００６０】
次に、制御部１２０は、ｌ−ｍ−ｎの値が０以上であるか否かを判断する（ステップＳ２０９）。ｌ−ｍ−ｎは、負荷電力に対応する基準値を示す式であり、以下負荷電力に対応する基準値をＬで表す。
【００６１】
制御部１２０は、ｌ−ｍ−ｎの値が０以上であると判断した場合（ステップＳ２０９のＹｅｓ）、Ｌ＝ｌ−ｍ−ｎと決定する（ステップＳ２１０）。この場合、Ｌは０以上であるため、負荷電力は正方向に流れるか又は０である。
【００６２】
制御部１２０は、ｌ−ｍ−ｎの値が０未満であると判断した場合（ステップＳ２０９のＮｏ）、ｌ−ｍ−ｎの値が−２未満であるか否かを判断する（ステップＳ２１１）。ここで、−２は、負荷電力が負方向の場合の閾値１００Ｗに対応する値である。なぜなら、基準値ｌ、ｍ及びｎは、取得した発電電力Ｗｄ、充放電電力Ｗｃ及び売買電電力Ｗｎを５０で割った値であり、同様に閾値１００Ｗを５０で割ると２となる。そして、負荷電力が負方向の場合には、符号がマイナスとなるため、−２は、負荷電力の負方向の場合の閾値１００Ｗに対応する値を意味する。すなわち、ステップＳ２１１では、負荷電力が閾値より小さいか否かが判断される。
【００６３】
制御部１２０は、ｌ−ｍ−ｎの値が−２未満であると判断した場合（ステップＳ２１１のＹｅｓ）、Ｌ＝ｌ−ｍ−ｎと決定する（ステップＳ２１０）。これは、制御部１２０が、負方向の負荷電力の値（絶対値）が閾値１００Ｗよりも大きいため、燃料電池６０による発電が実際に行われていると判断していることを意味する。
【００６４】
一方、制御部１２０は、ｌ−ｍ−ｎの値が−２以上であると判断した場合（ステップＳ２１１のＮｏ）、Ｌ＝０と決定する（ステップＳ２１２）。これは、制御部１２０が、負方向の負荷電力の値（絶対値）が閾値１００Ｗ以下であるため、測定誤差であると判断し、当該測定誤差を０に補正するものである。
【００６５】
そして、制御部１２０は、基準値Ｌ、ｌ、ｍ及びｎに基づいて、出力内容を決定する（ステップＳ２１３）。具体的には、例えば、制御部１２０は、基準値の正負の符号に応じて、電力の流れを示す方向に関する情報を決定する。また、例えば、制御部１２０は、基準値の値に応じて、表示部１４０に表示させる電力の値に関する情報を決定する。この場合、制御部１２０は、各基準値に、５０を掛ける演算を行うことにより、基準値から電力の値を算出する。なお、図８に示すフローにおいて、制御部１２０は、基準値ｍについては、補正をすることなく出力内容を決定している。
【００６６】
次に、ステップＳ１０５で実行される自動モード時の制御フローの詳細について説明する。図９は、制御部１２０が実行する自動モード時の制御フローの一例を示すフローチャートである。
【００６７】
まず、制御部１２０は、図８で示したフローのステップＳ２０１と同様に、情報取得部１１０から、測定電力情報を取得する（ステップＳ３０１）。
【００６８】
そして、図８で示したフローのステップＳ２０２と同様に、制御部１２０は、取得した発電電力Ｗｄ、充放電電力Ｗｃ及び売買電電力Ｗｎのそれぞれを、所定の値で割る演算を行うことにより、計算の基準値を算出する（ステップＳ３０２）。図９のフローにおいても、発電電力Ｗｄ、充放電電力Ｗｃ及び売買電電力Ｗｎのそれぞれに対応する基準値を、基準値ｌ、基準値ｍ及び基準値ｎとし、各基準値は、発電電力Ｗｄ、充放電電力Ｗｃ及び売買電電力Ｗｎをそれぞれ５０で割って算出したものであるとして説明する。
【００６９】
次に、制御部１２０は、基準値ｎの値を０に決定する（ステップＳ３０３）。つまり、制御部１２０は、基準値ｎが０の場合には補正を行わず、基準値ｎが０でない場合には、ｎ＝０に補正する。図９に示すフローは、電力制御システム１０が自立運転をしている場合に実行されるものであるため、系統２０との売買電は行われない。そのため、ステップＳ３０３は、売買電電力Ｗｎに対応する基準値ｎが０以外の値である場合には、売買電電力Ｗｎの値が誤検出に基づくものであると判断して、基準値ｎ＝０に補正するものである。
【００７０】
続いて、制御部１２０は、基準値ｌが０以上であるか否かを判断する（ステップＳ３０４）。
【００７１】
制御部１２０は、基準値ｌが０以上であると判断した場合（ステップＳ３０４のＹｅｓ）、基準値ｌの値を補正することなく、そのまま維持することを決定する（ステップＳ３０５）。これは、発電電力Ｗｄの値が誤検出によるものではないという判断に基づくものである。
【００７２】
ステップＳ３０５に続いて、制御部１２０は、基準値ｍが０以上であるか否かを判断する（ステップＳ３０６）。
【００７３】
制御部１２０は、基準値ｍが０以上であると判断した場合（ステップＳ３０６のＹｅｓ）、基準値ｌが基準値ｍ以上であるか否かを判断する（ステップＳ３０７）。
【００７４】
制御部１２０は、基準値ｌが基準値ｍ以上であると判断した場合（ステップＳ３０７のＹｅｓ）、基準値ｍの値を補正することなく、そのまま維持することを決定する（ステップＳ３０８）。これは、充放電電力Ｗｃの値が誤検出によるものではないという判断に基づくものである。
【００７５】
一方、制御部１２０は、基準値ｌが基準値ｍ以上でないと判断した場合、つまり基準値ｌが基準値ｍ未満であると判断した場合（ステップＳ３０７のＮｏ）、基準値ｍを基準値ｌと同じ値にする補正を行う（ステップＳ３０９）。基準値ｌが基準値ｍ未満であるということは、すなわち発電設備４０による発電電力Ｗｄを、蓄電池５０の充電電力Ｗｃが上回っていることを意味するが、発電電力Ｗｄ以上の電力を充電することは発生し得ない。そのため、制御部１２０は、取得された充電電力Ｗｃの値が誤検出によるものであると判断して、基準値ｍを基準値ｌと同じ値に補正することにより、充電電力Ｗｃの値を発電電力Ｗｄと一致させる。
【００７６】
制御部１２０は、ステップＳ３０６において、基準値ｍが０未満であると判断した場合（ステップＳ３０６のＮｏ）、基準値ｍの値を補正することなく、そのまま維持することを決定する（ステップＳ３０８）。これは、充放電電力Ｗｃの値が誤検出によるものではないという判断に基づくものである。
【００７７】
制御部１２０は、ステップＳ３０４において、基準値ｌが０未満であると判断した場合（ステップＳ３０４のＮｏ）、基準値ｌの値をｌ＝０に補正する（ステップＳ３１０）。これは、ステップＳ２０４で説明したように、発電設備４０の電力が負方向となることはなく、従って基準値ｌが０未満となることはないため、制御部１２０が、取得された発電電力Ｗｄの値が誤検出によるものであると判断して、ｌ＝０（つまりＷｄ＝０）に補正するものである。
【００７８】
ステップＳ３１０に続いて、制御部１２０は、基準値ｍが０より大きいか否かを判断する（ステップＳ３１１）。
【００７９】
制御部１２０は、基準値ｍが０より大きいと判断した場合（ステップＳ３１１のＹｅｓ）、基準値ｍの値をｍ＝０に補正する（ステップＳ３１２）。ステップＳ３１１の判断を行う場合には、ステップＳ３１０で説明したように、発電設備４０の発電電力Ｗｄが発電をしていない。そのため、蓄電池５０が充電を行うことは発生し得ない。従って、制御部１２０は、取得された充電電力Ｗｃの値が誤検出によるものであると判断して、蓄電池５０において充電が行われていないことを示すように、基準値ｍ＝０と補正する。
【００８０】
一方、制御部１２０は、基準値ｍが０以下であると判断した場合（ステップＳ３１１のＮｏ）、基準値ｍの値を補正することなく、そのまま維持することを決定する（ステップＳ３１３）。これは、充放電電力Ｗｃの値が誤検出によるものではないという判断に基づくものである。なお、基準値ｍが０以下であるということは、蓄電池５０が充放電をしていないか、又は放電をしていることを示している。
【００８１】
上述のようにして、基準値ｌ、ｍ及びｎの値を決定した後、制御部１２０は、負荷電力に対応する基準値Ｌを算出する（ステップＳ３１４）。具体的には、基準値ｎ＝０であるため、制御部１２０は、Ｌ＝ｌ−ｍという計算式により、基準値Ｌを算出する。
【００８２】
そして、制御部１２０は、ステップＳ２１３と同様にして、上述のようにして決定した基準値Ｌ、ｌ、ｍ及びｎに基づいて、出力内容を決定する（ステップＳ３１５）。
【００８３】
次に、ステップＳ１０６で実行される待機モード時の制御フローの詳細について説明する。図１０は、制御部１２０が実行する待機モード時の制御フローの一例を示すフローチャートである。
【００８４】
図１０のフローにおいて、ステップＳ４０１からステップＳ４０３は、それぞれ図１０のフローのステップＳ３０１からステップＳ３０３と同様であるため、ここでは説明を省略する。
【００８５】
制御部１２０は、ステップＳ４０３で基準値ｎ＝０と決定した後、基準値ｌが０以上であるか否かを判断する（ステップＳ４０４）。
【００８６】
制御部１２０は、基準値ｌが０以上であると判断した場合（ステップＳ４０４のＹｅｓ）、基準値ｍが０より大きいか否かを判断する（ステップＳ４０５）。
【００８７】
制御部１２０は、基準値ｍが０より大きいと判断した場合（ステップＳ４０５のＹｅｓ）、基準値ｌの値を補正することなく、そのまま維持することを決定する（ステップＳ４０６）。この場合、基準値ｌ及び基準値ｍは、発電電力Ｗｄが負方向であり、充放電電力Ｗｃが充電していることを示している。そのため、制御部１２０は、発電設備４０の発電電力Ｗｄによって蓄電池５０が充電されていると判断し、発電電力Ｗｄの値が誤検出によるものではないと判断して、ステップＳ４０７を行う。
【００８８】
ステップＳ４０６に続いて、制御部１２０は、基準値ｍが基準値ｌよりも大きいか否かかを判断する（ステップＳ４０７）。
【００８９】
制御部１２０は、基準値ｍが基準値ｌよりも大きいと判断した場合（ステップＳ４０７のＹｅｓ）、基準値ｍを基準値ｌと同じ値にする補正を行う（ステップＳ４０８）。基準値ｍが基準値ｌよりも大きいということは、すなわち蓄電池５０の充電電力Ｗｃが、発電設備４０による発電電力Ｗｄを上回っていることを意味するが、発電電力Ｗｄ以上の電力を充電することは発生し得ない。そのため、制御部１２０は、取得された充放電電力Ｗｃの値が誤検出によるものであると判断して、基準値ｍを基準値ｌと同じ値に補正することにより、充電電力Ｗｃの値を発電電力Ｗｄと一致させる。
【００９０】
一方、制御部１２０は、基準値ｍが基準値ｌ以下であると判断した場合（ステップＳ４０７のＮｏ）、基準値ｍの値を補正することなく、そのまま維持することを決定する（ステップＳ４０９）。これは、充放電電力Ｗｃの値が誤検出によるものではないという判断に基づくものである。
【００９１】
制御部１２０は、ステップＳ４０５において、基準値ｍが０以下であると判断した場合（ステップＳ４０５のＮｏ）、基準値ｌの値をｌ＝０に補正する（ステップＳ４１０）とともに、基準値ｍの値をｍ＝０に補正する（ステップＳ４１１）。この場合、補正前の基準値ｌ及び基準値ｍは、発電電力Ｗｄが負方向であり、蓄電池５０が放電であることを示している。しかしながら、待機モードにおいて、発電電力Ｗｄが負方向つまり発電を行い、蓄電池５０が放電を行うということは発生し得ない。そのため、制御部１２０は、取得された発電電力Ｗｄ及び充放電電力Ｗｃの値が誤検出によるものであると判断して、基準値ｌ及び基準値ｍを０に補正する。
【００９２】
制御部１２０は、ステップＳ４０４において、基準値ｌが０以下であると判断した場合（ステップＳ４０４のＮｏ）、基準値ｌが０であるか否かを判断する（ステップＳ４１２）。
【００９３】
制御部１２０は、基準値ｌが０であると判断した場合（ステップＳ４１２のＹｅｓ）、基準値ｌの値を補正することなく、そのまま維持することを決定する（ステップＳ４１３）とともに、基準値ｍの値をｍ＝０に補正する（ステップＳ４１１）。この場合、基準値ｌ＝０であるため、発電設備４０は発電していない。従って、蓄電池５０による充電も行われていないことから、これに整合させるために、基準値ｍ＝０に補正を行う。なお、基準値ｍの値がそもそも０である場合には、制御部１２０は補正を行わなくてもよい。
【００９４】
一方、制御部１２０は、基準値ｌが０でないと判断した場合、つまり基準値ｌが０未満であると判断した場合（ステップＳ４１２のＮｏ）、基準値ｌの値をｌ＝０に補正する（ステップＳ４１４）。ステップＳ２０４で説明したように、発電設備４０が電力を消費することはないため、発電設備４０の電力が正方向となることはない。従って、制御部１２０は、取得された発電電力Ｗｄの値が誤検出によるものであると判断して、ｌ＝０（つまりＷｄ＝０）に補正する。
【００９５】
また、制御部１２０は、ステップＳ４１４に続いて、基準値ｍの値をｍ＝０に補正する（ステップＳ４１１）。この場合、発電設備４０が発電を行っていないため、蓄電池５０による充電も行われていないことから、これに整合させるために、基準値ｍ＝０に補正を行う。
【００９６】
上述のようにして、基準値ｌ、ｍ及びｎの値を決定した後、制御部１２０は、負荷電力に対応する基準値Ｌを０として決定する（ステップＳ４１５）。待機モードにおいては、負荷７０に電力が供給されないため、負荷電力の基準値Ｌは必ず０となるためである。
【００９７】
そして、制御部１２０は、ステップＳ２１３と同様にして、上述のようにして決定した基準値Ｌ、ｌ、ｍ及びｎに基づいて、出力内容を決定する（ステップＳ４１６）。
【００９８】
上述のように、図８から図１０のいずれかにより決定された出力内容は、制御部１２０から表示部１４０に送信され、表示部１４０は、取得した出力内容に基づいて、電力に関する情報を表示する。
【００９９】
図１１は、表示部１４０に表示される表示画面の一例である。図１１に示すように、表示部１４０には、図案化された系統２０と、発電設備４０と、蓄電池５０と、需要家施設９０とが表示され、これらは、電力経路を示す線で結ばれている。なお、本来、需要家施設９０は発電設備４０及び蓄電池５０を含むものであるが、電力の流れをわかりやすくするために、図１１では需要家施設９０は燃料電池６０及び負荷７０の電力を表すものである。これに限定されず、燃料電池６０及び負荷７０は別々のアイコンでそれぞれ表示してもよい。電力経路を示す線上には、電力の情報として、電力の流れが、例えばアニメーションで表示される。表示部１４０は、例えば電力経路を表す線上に、電力の大きさを示す数値を併せて表示してもよい。また、本実施形態では、図１１に示されるように、表示部１４０には、発電設備４０の発電電力及び蓄電池５０の充電量等が、数値により表示される。
【０１００】
なお、電力の流れは、上述したアニメーションに限られず、例えば矢印等、方向を示すことが可能な任意の方法により表示されてもよい。また、電力の大きさは、数値の他、例えば、電力の流れを示す矢印の大きさ又は太さ等で表してもよいし、アニメーションの動きの速さなどで表してもよい。
【０１０１】
このように、本実施形態に係る情報処理装置１００によれば、取得した測定電力情報に応じて、電力制御システム１０における電力に関する情報に関する出力内容を決定するため、決定された出力内容と、実際の電力制御システム１０における電力に関する情報との差異を低減できる。従って、情報処理装置１００によれば、需要家が理解しやすい情報を出力可能である。特に、情報処理装置１００は、電力制御システム１０の系統２０との接続状態及び電力制御システム１０の運転モード等に応じて補正を行っているため、測定電力情報のうち実際には発生し得ない電力に関する情報を排除しやすくなるため、測定電力情報に含まれる誤検出の情報を排除しやすくなる。そのため、決定された出力内容と、実際の電力制御システム１０における電力に関する情報との差異を低減できる。
【０１０２】
なお、本発明は、上記実施の形態にのみ限定されるものではなく、幾多の変形又は変更が可能である。例えば、各構成部等に含まれる機能等は論理的に矛盾しないように再配置可能であり、複数の構成部等を１つに組み合わせたり、或いは分割したりすることが可能である。
【０１０３】
例えば、上記実施形態では、情報処理装置１００は、表示部１４０に表示を行うことにより電力に関する情報を出力していたが、電力に関する情報の出力は、表示部１４０が行う表示に限らない。電力に関する情報の出力は、需要家が認知可能な他の方法、例えば音声等により出力されてもよい。
【符号の説明】
【０１０４】
１０  電力制御システム
２０  系統
３０  パワーコンディショナ
４０  発電設備
５０  蓄電池
６０  燃料電池
７０  負荷
８０  電流センサ
９０  需要家施設
１００  情報処理装置
１１０  情報取得部
１２０  制御部
１３０  記憶部
１４０  表示部
【図１】
0006581881.tif 000002
【図２】
0006581881.tif 000003
【図３】
0006581881.tif 000004
【図４】
0006581881.tif 000005
【図５】
0006581881.tif 000006
【図６】
0006581881.tif 000007
【図７】
0006581881.tif 000008
【図８】
0006581881.tif 000009
【図９】
0006581881.tif 000010
【図１０】
0006581881.tif 000011
【図１１】
0006581881.tif 000012